(57)【要約】【課題】好気処理槽を有する汚水処理槽につき、当該好気処理槽における被処理水の水位上昇時にも万全の対策を講じることが可能な技術を提供する。【解決手段】ハウジング１１０内に好気処理槽１２７が設けられた汚水処理槽１０１につき、好気処理槽１２７内の被処理水１２７ａにエアを供給するエア供給装置１３１を有し、当該エア供給装置１３１は、好気処理槽１２７内の被処理水１２７ａの水位の上昇に基づいて被処理水１２７ａへのエア供給を低減ないし停止するよう構成する。【選択図】　　　　図３
2004057975.tif 000002
【特許請求の範囲】
【請求項１】
ハウジング内に少なくとも好気処理槽が設けられた汚水処理槽であって、
前記好気処理槽内の被処理水にエアを供給するエア供給装置を有し、
前記エア供給装置は、前記好気処理槽内の被処理水の水位の上昇に基づいて前記被処理水へのエア供給を低減ないし停止することを特徴とする汚水処理槽。
【請求項２】
請求項１に記載の汚水処理槽であって、
前記好気処理槽は、好気性微生物を付着した流動性の担体を多数充填した担体流動槽として規定されることを特徴とする汚水処理槽。
【請求項３】
請求項１または２に記載の汚水処理槽であって、
前記エア供給装置は、少なくとも、前記好気処理槽にエアを供給して当該好気処理槽内の被処理水の散気処理を行う第１の駆動モードと、被処理水の水位の上昇に基づいて、前記第１の駆動モードよりも単位時間当たりのエア供給量が低減され、またはエアの供給が停止された第２の駆動モードの間で切替可能に構成されていることを特徴とする汚水処理装置。
【請求項４】
請求項１から３までのいずれかに記載の汚水処理槽であって、
ハウジングへ流入する被処理水の処理流路において、前記好気処理槽よりも上流側に配置された流量調整手段を有し、
前記好気処理槽内の被処理水の水位上昇は、前記流量調整手段における被処理水量に基づいて検知されることを特徴とする汚水処理槽。
【請求項５】
汚水処理槽に設けられた好気処理槽内の被処理水にエアを供給するとともに、前記好気処理槽内の被処理水の水位の上昇に基づいて前記被処理水へのエア供給を低減ないし停止することを特徴とする好気処理槽用エア供給装置。
【請求項６】
ハウジング内に少なくとも好気処理槽が設けられた汚水処理槽を用いた汚水の処理方法であって、
前記好気処理槽内の被処理水にエアを供給するとともに、
前記好気処理槽内の被処理水の水位の上昇に基づいて前記被処理水へのエア供給を低減ないし停止するステップを有することを特徴とする汚水の処理方法。
【発明の詳細な説明】
【０００１】
【発明の属する技術分野】
本発明は好気処理槽を有する汚水処理槽の構築技術に関し、詳しくは当該好気処理槽における被処理水の水位上昇時にも万全の対策を講じることが可能な技術に関する。
【０００２】
【従来の技術】
汚水処理槽構築技術の一例として、特開２００１―２６９６８６号では、好気処理槽を含む複数の処理槽が形成された汚水処理槽の構成が開示されている。この従来の技術における好気処理槽では、好気性微生物に対し槽内の被処理水の好気性処理を遂行させるべく、当該好気処理槽内に散気用エアが供給される。散気用エアは好気処理槽の底部から槽内に供給され、槽内の被処理水に上向流を形成する。これにより、好気処理槽内の被処理水に対する好気性処理が遂行され、ＳＳ等の固形生成物が発生し好気処理槽内を浮遊することとなる
【０００３】
上記した従来の汚水処理槽では、例えば被処理水の流入量が増大することにより好気処理槽における被処理水の水位が上昇する場合がある。好気処理槽内の被処理水の水位が上昇する場合、好気処理槽内の被処理水中を浮遊する固形生成物が好気処理槽外部へ流出しないよう対策を講じるのが望ましい。また好気性微生物の付着手段として流動性担体や活性化汚泥を好気処理槽内に設ける場合には、好気処理槽内の被処理水の水位上昇による当該付着手段の流出防止対策を講じることも必要である。
【０００４】
【発明が解決しようとする課題】
本発明は、かかる点に鑑みてなされたものであり、好気処理槽を有する汚水処理槽につき、当該好気処理槽における被処理水の水位上昇時にも万全の対策を講じることが可能な技術を提供することを目的とする。
【０００５】
【課題を解決するための手段】
上記課題を達成するため、各請求項記載の発明が構成される。請求項１に記載の発明では、汚水処理槽のハウジング内に少なくとも好気処理槽が設けられるとともに、この好気処理槽内の被処理水に対してエアを供給するエア供給装置が設けられる。好気処理槽は、当該処理槽内の被処理水に対して上記エア供給装置からのエアを介して好気性処理（酸化処理）を行うための処理槽であり、典型的には、好気性微生物が付着した多数の粒状担体が充填された担体充填槽、あるいは被処理水に散気処理用のエアを供給する曝気槽がこれに該当する。
【０００６】
本発明におけるエア供給装置は、好気処理槽内の被処理水の水位の上昇に基づいて被処理水へのエア供給を低減ないし停止する。これにより好気処理槽内の被処理水は、その攪拌の度合いが低減され、あるいは沈静化されることとなる。この結果、好気性処理によって生じたＳＳ等の固形生成物が被処理水内を浮遊するのを抑制し、被処理水の水位上昇に伴って好気処理槽外部へ流出する可能性を極力抑制することが可能となる。なお、好気処理槽内容物が当該好気処理槽外へ流出するのを抑制するという本発明の趣旨に鑑み、「水位の上昇に基づく」とは、好気処理槽内の被処理水の水位が実際に上昇する場合のみならず、当該水位の上昇が予見される場合も含む趣旨である。また好気処理槽内の被処理水の水位の上昇は、当該好気処理槽における被処理水の水位を直接的にモニターすることで検知してもよいし、好気処理槽以外の処理槽における被処理水の水位をモニターし、あるいは各処理槽間で被処理水の移送を行うポンプ等の被処理水移送手段における流量等をモニターすることで検知してもよい。
【０００７】
また被処理水へのエア供給の「低減ないし停止」については、エア供給を即座に低減ないし停止する態様、所定の減少速度をもって所定の時間の経過とともに低減ないし停止させるに至る態様、減少速度ないし減少加速度を適宜変化させつつ低減ないし停止する態様など、各種の制御態様が好適に包含され得る。なお好気処理槽における被処理水の水位上昇ないしその可能性が解除された場合には、汚水処理能力を回復するべく、エア供給を通常状態に復帰するよう構成することが好ましい。
【０００８】
また本発明では、好気処理槽内の被処理水の水位上昇に基づき、エア供給装置によるエア供給量を低減ないし停止する構成を広く包含する趣旨であり、エア供給の低減ないし停止時間、あるいは通常駆動状態への復帰の有無および復帰時間等については適宜設定可能である。また被処理水の水位ないし他のパラメータに基づいてエア供給量を増大する駆動モードを更に追加的に有する構成等も包含する。
【０００９】
（請求項２に記載の発明）
請求項２に記載の発明では、上記好気処理槽が、好気性微生物を付着した流動性の担体を多数充填した担体流動槽として規定される。担体流動槽として規定された好気処理槽において、被処理水の水位が上昇する場合ないし当該好気処理槽内の被処理水の水位の上昇が予見される場合には、好気処理槽内の被処理水へのエア供給を低減ないし停止することにより、上記請求項１に記載の発明の作用に加え、好気処理槽内の担体が好気処理槽、特にその上縁側から外部に流出することを効果的に抑制することが可能となる。
【００１０】
（請求項３に記載の発明）
請求項３に記載の発明によれば、請求項１ないし２に記載の汚水処理槽に関し、好気処理槽内の被処理水に対するエア供給態様として、散気処理に対応した駆動モードと、当該駆動モードに比較してエア供給が低減ないし停止された駆動モードとを切替えて使用可能なため、好気処理槽内の被処理水の水位上昇に応じて、エア供給を受けつつ散気処理が行われている散気運転中の被処理水を確実に沈静化し、好気処理槽の上縁側から内容物が外部へ流出する可能性を極力抑制可能な汚水処理槽が提供される。
【００１１】
（請求項４に記載の発明）
請求項４に記載の発明では、上記した好気処理槽内の被処理水の水位上昇につき、当該好気処理槽よりも上流側の流量調整手段において検知するため、好気処理槽での被処理水の水位上昇を事前かつ確実に予知することが可能となる。また槽内の被処理水にエアが供給されて水面が定常状態となりにくい好気処理槽にて検知するよりも、一層検知精度を向上することが可能である。なお「流量調整手段」としては、例えば流量調整槽を配置するとともに当該流量調整槽における被処理水の水量に基づいて好気処理槽の水位上昇を検知する態様、水中ポンプやエアリフトポンプ等を用いた被処理水移送装置における被処理水の単位時間移送水量に基づいて好気処理槽の水位上昇を検知する態様、あるいは流量調整槽と被処理水移送装置の双方における被処理水の水量に基づいて好気処理槽の水位上昇を検知する態様などを広く包含する。
【００１２】
（請求項５に記載の発明）
請求項５に記載の発明によれば、上記請求項１に記載の汚水の処理槽に設けられた好気処理槽のためのエア供給装置と実質的に同等の作用を奏する好気処理槽用エア供給装置が提供される。
【００１３】
（請求項６）
請求項６に記載の方法によれば、ハウジング内に少なくとも好気処理槽が設けられた汚水処理槽を用いた汚水の処理方法が構成される。好気処理槽の意義については上記請求項１に記載の発明の場合と実質的に同等である。本発明に係る方法では、好気処理槽内の被処理水の水位の上昇に基づいて被処理水へのエア供給を低減ないし停止するステップを有するよう構成される。これにより好気処理槽内の被処理水の水位が上昇することに起因して、好気処理槽内に生じたＳＳ等の固形生成物が当該好気処理槽の上縁側から外部へ流出する可能性を極力抑制することが可能となり、合理的な汚水の処理方法が実現され得る。
【００１４】
なお「水位の上昇に基づく」、エア供給の「低減ないし停止」等、発明の構成要素に関する用語の解釈については、上記請求項１に記載の発明と実質同等とする。また本発明に対しては、上記した請求項２から請求項４までに記載の各発明が有する構成要素と実質的に同等の構成要素を付加し、一層合理的に汚水の処理を遂行可能な方法を提供することも可能である。
【００１５】
【発明の実施の形態】
以下、本発明の実施の形態である汚水処理槽１０１および汚水処理槽１０１を用いた汚水の処理方法につき、図面を参照しつつ説明する。図１に模式的に示すように、本実施の形態に係る汚水処理槽１０１は、処理槽ハウジング１１０内に形成された流量調整槽１２１、担体流動槽１２７、沈殿分離槽１３３、消毒槽１３５の各処理槽を有するとともに、各処理槽は、処理槽ハウジング１１０に設けられた流入部１１３から流出部１１５に至る処理流路１１１上に、この順で配置される。そして流入部１１３から処理槽ハウジング１１０内に流入した被処理水は、各処理槽において適宜汚水処理を受けた後、処理流路１１１の終端側に設けられた放流部１１５から汚水処理槽１０１外へ放流される。
【００１６】
流量調整槽１２１は、被処理水を一時的に貯留するとともに、後述する流量調整用ポンプ１２３を介して担体流動槽１２７へ被処理水を送るためのリザーバタンクとしての機能を果たす。本実施の形態においては、流量調整槽１２１と担体流動槽１２７との間は流量調整用ポンプ１２３が配置された移送管１２５によって接続される。後述する図２に詳しく示されるように、流量調整用ポンプ１２３は、本実施の形態では、流量調整槽１２１内の被処理水１２１ａ中に水没して設置されるよう設定された、いわゆる水中ポンプとして構成されている。
【００１７】
流量調整用ポンプ１２３は、単位時間当たり所定の流量の被処理水を移送管１２５を通じて流量調整槽１２１から担体流動槽１２７に供給する。なお特に図示しないものの、本実施の形態では、流量調整用ポンプ１２３は下流側に配置された計量装置と組み合わされており、流量調整槽１２１から担体流動槽１２７へ送られる被処理水の流量がコンスタントになるように適宜流量調整が行われている。流量調整槽１２１、流量調整用ポンプ１２３ないし図示しない計量装置は、そのいずれもが、あるいはその組み合わせにおいて本発明における「流量調整手段」に対応し、担体流動槽１２７以降の各処理槽に供給される被処理水の流量を調整することにより被処理水の供給過剰状態を未然に防止する機能を果たすものである。
【００１８】
なお、例えば流量調整用ポンプ１２３の駆動制御等を通じて当該流量調整用ポンプ１２３の設定流量値を適宜変更することにより、計量装置を省略しつつ担体流動槽１２７への単位時間当たりの被処理水供給量を適宜変更可能に構成してもよい。あるいは計量装置に流量調整機能および設定流量変更機能を付与することで、流量調整用ポンプ１２３を省略して構成することも可能である。また流量調整用ポンプ１２３を水中ポンプではなくエアリフトポンプによって構成することも可能である。
【００１９】
また本実施の形態では、流量調整用ポンプ１２３を介して流量調整槽１２１と担体流動槽１２７とを連接しているが、担体流動槽１２７の上流側に、被処理水の固液分離処理を行う夾雑物除去槽や、被処理水の嫌気処理を行う嫌気処理槽を適宜配置する構成を採用してもよい。
【００２０】
担体流動槽１２７の構成が図２に詳しく示される。なお図２では、処理槽ハウジング１１０内の各処理槽のうち、流量調整槽１２１、担体流動槽１２７および沈殿分離槽１３３のみを便宜上示している。担体流動槽１２７は、本発明における「好気処理槽」に対応する要素である。担体流動槽１２７は、その内部に粒状の担体１２９が多数充填されて構成される。担体１２９は、本実施の形態では中空円筒状に形成され、担体流動槽１２７内の被処理水１２７ａ中の有機汚濁物を好気性処理するための好気性微生物を多数付着させている。担体流動槽１２７にはエア供給装置１３１が配置されている。エア供給装置１３１はブロワ１３２に接続されて担体流動槽１２７内に散気用エア１３１ａを適宜供給する。
【００２１】
そして汚水処理槽１０１の通常運転時においては、エア供給装置１３１を介して担体流動槽１２７内に供給された散気用エア１３１ａにより、各担体１２９と被処理水１２７ａとが相対的に攪拌されつつ、当該担体１２９に付着した好気性微生物が被処理水１２７ａに対する好気性処理（酸化処理）を遂行する。
【００２２】
担体流動槽１２７において好気性処理を受けた被処理水１２７ａは、処理流路１１１を通じて沈殿分離槽１３３に送られる。担体流動槽１２７と沈殿分離槽１３３とを接続する処理流路１１１には担体分離装置１４１が配置されている。担体分離装置１４１は、例えば、担体１２９の寸法よりも小さな径の孔が多数穿設されたプレート材等で構成され、被処理水１２７ａの通過を許容する一方において、担体１２９の通過を規制するよう構成されている。この担体分離装置１４１により、担体流動槽１２７内の担体１２９が処理流路１１１を通じて沈殿分離槽１３３側に流出されるのが防止される。
【００２３】
なお担体流動槽１２７は、上記処理流路１１１よりも高位に設けられたオーバーフロー管１４３，１４５により、それぞれ流量調整槽１２１および沈殿分離槽１３３に接続されている。担体流動槽１２７を流量調整槽１２１に接続するオーバーフロー管１４３には、上記と同様の担体分離装置１４１が配置され、被処理水１２７ａの通過を許容するとともに担体１２９の通過を規制する。
【００２４】
沈殿分離槽１３３では、被処理水１３３ａが含有する固形成分、および上記担体流動槽１２７における好気性処理で生じたＳＳ等の固形生成物が、当該被処理水１３３ａから分離沈降される。すなわち沈殿分離槽１３３は被処理水１３３ａに対する固液分離機能を有する要素である。また図１に示す消毒槽１３５では、投入された被処理水に適宜消毒処理を施して、放流部１１５からの放流に備える。
【００２５】
上記のように構成される本実施の形態に係る汚水処理槽１０１の作用および被処理水の処理方法の具体的手順について説明する。流入部１１３から処理槽ハウジング１１０内に流入した被処理水は、処理流路１１１を通じて流量調整槽１２１に送られる。流量調整槽１２１内の被処理水１２１ａは、単位時間当たり所定の設定量だけ当該被処理水１２１ａを移送するよう構成された流量調整用ポンプ１２３および特に図示しない計量装置の協働により、移送管１２５を通じて担体流動槽１２７に送られる。従って、当該流量調整用ポンプ１２３および計量装置により、担体流動槽１２７および以降の各処理槽に対し被処理水が過剰に供給されるのを効果的に規制することが可能である。
【００２６】
この場合、図２に示すように、流量調整槽１２１内の被処理水１２１ａは、当該流量調整槽１２１における許容上限水位ＨＷＬ（Ｈｉｇｈ　Ｗａｔｅｒ　Ｌｅｖｅｌ）と、許容下限水位ＬＷＬ（Ｌｏｗ　Ｗａｔｅｒ　Ｌｅｖｅｌ）との間における水位ＷＬを保つよう構成される。なお流量調整槽１２１内の許容上限水位ＨＷＬよりも上方位置には、警報水位ＡＷＬ（Ａｌａｒｍ　Ｗａｔｅｒ　Ｌｅｖｅｌ）が設定されるとともに、被処理水が当該警報水位ＡＷＬに達したか否かを検知する水位検知装置１５１が設けられている。そして流量調整槽１２１内の被処理水の水位が許容上限水位ＨＷＬを超えて警報水位ＡＷＬに達した場合、当該水位検知装置１５１はブロワ１３２の通電遮断信号を発する。この点については後述する。
【００２７】
担体流動槽１２７に送られた被処理水１２７ａは、エア供給装置１３１から供給された散気用エア１３１ａによる散気状態の下、担体１２９に付着した好気性微生物を介して好気性処理を受け、有機汚濁成分の酸化処理が行われる。このとき担体流動槽１２７内では、散気用エア１３１ａにより、担体１２９のみならずＳＳ等の固形生成物が被処理水１２７ａ内を流動する状態となっている。
【００２８】
担体流動槽１２７において好気性処理を受けた被処理水１２７ａは、処理流路１１１を通じて沈殿分離槽１３３に送られ、好気性処理において生じたＳＳ等の固形生成物を含めて、被処理水中の固形成分の分離沈降が遂行されることとなる。なお上述のように処理流路１１１に設けられた担体分離装置１４１により、担体流動槽１２７内の担体１２９は沈殿分離槽１３３に流出するのを阻止される。特に図示しないものの、沈殿分離槽１３３において被処理水から分離沈降した固形成分は、汚泥として沈殿分離槽１３３から適宜除去処理される。
【００２９】
沈殿分離槽１３３において固形成分が分離された被処理水１３３ａは、処理流路１１１を通じ、図１に示す消毒槽１２５に送られて適宜消毒処理を受けた後、放流部１１５から汚水処理槽１０１外へと放流される。
【００３０】
なお、上記のように当該汚水処理槽１０１を通常状態にて駆動する態様、すなわち担体流動槽１２７において被処理水に対する好気性処理を遂行しつつ汚水処理する態様につき、「第１の駆動モード」と規定する。
【００３１】
上記のように構成され、かつ汚水処理に供される汚水処理槽１０１では、処理槽ハウジング１１０への被処理水の流入量について格別のコントロールを行っていない関係上、大量の被処理水が流入部１１３から処理槽ハウジング１１０内に一時に流入する場合があり得る。このような場合、流量調整槽１２１に流入した被処理水１２１ａが、図２に示す許容上限水位ＨＷＬを越えて、担体流動槽１２７とを結ぶオーバーフロー管１４３の接続位置まで達する事態が生じ得る。かかる場合、流量調整槽１２１内の被処理水１２１ａがオーバーフロー管１４３を通じて担体流動槽１２７に流入することにより、上記した流量調整用ポンプ１２３による流量調整機能が働かず、担体流動槽１２７内の被処理水１２７ａの水位が上昇し、オーバーフロー管１４３，１４５の高さに達し、さらには担体流動槽１２７の上縁部１２７ｂの領域に達する可能性が生じる。この場合、担体流動槽１２７内の被処理水１２７ａとともに担体１２９等が担体流動槽１２７外（ないし汚水処理槽１０１外）に流出するのを抑制する必要がある。
【００３２】
このため本実施の形態における汚水処理槽１０１では、図３に示すように、流量調整槽１２１内の被処理水１２１ａの水位ＷＬが警報水位ＡＷＬに達した場合、水位検知装置１５１がこれを検知するとともに、ブロワ１３２の駆動を停止する。これにより担体流動槽１２７へのエア供給装置１３１からのエア供給が停止されるため、被処理水１２７ａに対する攪拌作用が解除されて沈静化されることとなる。被処理水１２７ａの沈静化とともに、担体流動槽１２７内の各担体１２９は被処理水１２７ａ内を流動することなく沈降し、担体流動槽１２７の下部領域に堆積する。これにより処理槽ハウジング１１０内に大量の被処理水が流入し、担体流動槽１２７を含む各処理槽内での被処理水の水位が上昇した場合であっても、担体流動槽１２７内の担体１２９が被処理水とともに外部に流出する事態を効果的に防止することが可能となる。なお、このようにエア供給装置１３１からのエアの供給を停止した状態につき、「第２の駆動モード」と規定する。かかる第２の駆動モードにおいては、エア供給停止により担体流動槽１２７における好気性処理が停止されるものの、被処理水１２７ａが沈静化され、担体１２９が沈降することで、担体流動槽１２７を恰も沈殿分離槽のごとく機能させ、汚水処理槽１０１における被処理水の水質悪化を極力抑制することが可能である。
【００３３】
また担体流動槽１２７内の被処理１２７ａの沈静化により、当該被処理水１２７ａ内を浮遊するＳＳ等の固形生成物についても、担体流動槽１２７の下部領域に沈降する傾向が生じるため、担体流動槽１２７から固形生成物が無闇に外部に流出することも防止可能となる。
【００３４】
なお、エア供給を停止することで担体１２９を沈降させる点を重視するならば、当該担体１２９の比重は被処理水１２７ａの比重よりも大きく設定することが好ましいが、あまり大きくすると、通常運転時に被処理水１２７ａ内での流動性を確保しにくくなる可能性があるため、双方の要請をバランスよく調整することが好ましい。また被処理水１２７ａの沈静化に伴って担体１２９の沈降を促進することまでは考慮せず、単に担体流動槽１２７の上縁部１２７ｂ近傍における担体１２９の流動を規制すれば足りる構成とする場合には、担体１２９と被処理水１２７ａとの比重差についてはそれ程シビアに設定する必要はない。
【００３５】
また担体１２９の寸法、断面形状、表面形状、中空ないし中実構造、材質等の様々なパラメータを適宜組み合わせることで、上記第２の駆動モードの際の担体１２９の沈降速度等を調整することが可能である。
【００３６】
さらに本実施の形態によれば、担体流動槽１２７における被処理水１２７ａの水位の上昇ないし上昇可能性につき、流量調整槽１２１における被処理水１２１ａの水位の変動に基づいて検知する構成を採用しているため、エア供給装置１３１からのエア供給によって水面がゆらぐ可能性のある担体流動槽１２７において水位を検知するよりも検知精度を向上することが可能であり、さらに処理槽ハウジング１１０内にて担体流動槽１２７よりも上流側に位置する流量調整槽で水位検知することで、担体流動槽１２７における水位上昇の可能性を迅速に察知することが可能となる。
【００３７】
もちろん流量調整槽１２１以外の任意の箇所における被処理水の流量ないし水位を検知することで、担体流動槽１２７における被処理水１２７ａの水位上昇を察知するよう構成してもよい。あるいは、担体流動槽１２７における被処理水１２７ａ自体の水位を検知する構成としてもよい。
【００３８】
その後、流量調整槽１２１における被処理水１２１ａの水位ＷＬが警報水位ＡＷＬを下回るように低下した場合には、担体流動槽１２７における被処理水１２７ａの水位上昇の可能性が解除されたものとして、ブロワ１３２への通電駆動が再開され、汚水処理能力を復元するべく、第２の駆動モードから第１の駆動モードへの復帰がなされる。
【００３９】
本実施の形態の変更例に係る汚水処理槽２０１の構成が図４に示される。当該変更例は、上記した実施の形態における第２の駆動モードの変更に関する。なお当該変更例は実質的に上記実施の形態と同等の要素を用いているため、上記と同等の符号を用いて説明する。この変更例では、流量調整槽１２１内の被処理水１２１ａの水位ＷＬが許容上限水位ＨＷＬを超えて警報水位ＡＷＬに達した場合に、ブロワ１３２は、水位検知装置１５１の検知信号に基づき、エア供給装置１３１に対するエア供給量を低減するよう駆動制御される。なおブロワ１３２によるエア供給装置に対するエア供給量の調整は、例えば当該ブロワ１３２における位相制御等を介して行うのが好ましい。これにより担体流動槽１２７内では、通常運転状態、すなわち第１の駆動モードの状態に比べて、エア供給装置１３１から供給されるエアの単位時間あたりの吐出量が減少するため、担体１２９は被処理水１２７ａ中を流動するものの、十分な上向エネルギーを付与されず、図４に示すように担体流動槽１２７の下方領域で流動に留まることとなる。これにより大量の被処理水の流入によって担体流動槽１２７を含む各処理槽内での被処理水の水位が上昇した場合であっても、担体流動槽１２７内の担体１２９が被処理水とともに外部に流出する事態を防止することが可能となる。
【００４０】
なお本実施の形態および変更例では、被処理水を流量調整槽１２１から担体流動槽１２７へ流量調整しつつ移送するのにいわゆる水中ポンプを用いて構成したが、これを適宜エアリフトポンプ等に代替することが可能である。また上記した処理流路１１１上の処理槽間に他の処理槽を追加配置してもよい。一例として、担体流動槽１２７の上流側に、夾雑物除去槽、ないしは一または複数の嫌気処理槽を配置する構成としてもよい。あるいは担体流動槽１２７以外に、曝気槽等といった他の好気処理槽、あるいは沈殿槽を増設することも可能である。
【００４１】
【発明の効果】
本発明によれば、好気処理槽を有する汚水処理槽につき、当該好気処理槽における被処理水の水位上昇時にも万全の対策を講じることが可能な技術が提供されることとなった。
【図面の簡単な説明】
【図１】本実施の形態に係る汚水処理槽の全体構成を概略的に示す。
【図２】本実施の形態における好気処理槽の通常運転状態を示す。
【図３】被処理水の水位上昇時の状態を示す。
【図４】本実施の形態の変更例における被処理水の水位上昇時の状態を示す。
【符号の説明】
１０１　汚水処理槽
１１０　処理槽ハウジング
１１１　処理流路
１１３　流入部
１１５　放流部
１２１　流量調整槽（流量調整手段）
１２３　流量調整用ポンプ（流量調整手段）
１２５　移送管
１２７　担体流動槽（好気処理槽）
１２９　担体
１３１　エア供給装置
１３３　沈殿分離槽
１３５　消毒槽
１４１　担体分離装置
１４３　オーバーフロー管
１４５　オーバーフロー管
【図１】
2004057975.tif 000003
【図２】
2004057975.tif 000004
【図３】
2004057975.tif 000005
【図４】
2004057975.tif 000006